【手続補正書】
【提出日】平成27年2月27日(2015.2.27)
【手続補正１】
【補正対象書類名】明細書
【補正対象項目名】００２１
【補正方法】変更
【補正の内容】
【００２１】
Ａ．プロジェクターの構成
図１は、本発明の一実施例としてのプロジェクターの構成を概略的に示すブロック図である。プロジェクターＰＪは、入力操作部１０と、制御回路２０と、画像処理動作回路３０と、画像投写光学系４０（投写部）と、撮像部５０と、動き検出部６０と、を備えている。
【手続補正２】
【補正対象書類名】明細書
【補正対象項目名】００２６
【補正方法】変更
【補正の内容】
【００２６】
投写光学系４６０は、液晶ライトバルブ４４０から射出された画像光を、スクリーンＳＣ上で結像させることにより、スクリーンＳＣ上に画像を拡大投写する。投写光学系４６０は、投写レンズ４６２と、レンズ駆動部４６４と、状態検出部４６６と、を備えている。投写レンズ４６２は、図示しない、フォーカス調整用のフォーカスレンズと、ズーム調整用のズームレンズと、が光軸方向に移動可能に構成されており、液晶ライトバルブ４４０から射出された画像光を、ズームレンズのズーム位置に応じて拡大し、フォーカスレンズのフォーカス位置に応じて結像させることにより、画像光の表す画像をスクリーンＳＣ上に拡大投写する。レンズ駆動部４６４は、制御回路２０の制御に基づいて、フォーカスレンズの光軸方向の位置（以下、「フォーカス位置」という）を変化させる。また、レンズ駆動部４６４は、ズームレンズの光軸方向の位置（以下、「ズーム位置」）を変化させる。状態検出部４６６は、フォーカスレンズのフォーカス位置およびズームレンズのズーム位置を検出する。なお、投写光学系４６０の構成は一般的であるので、具体的な構成の図示および説明は省略する。
【手続補正３】
【補正対象書類名】明細書
【補正対象項目名】００３５
【補正方法】変更
【補正の内容】
【００３５】
各ドットパターンＤＰ１〜ＤＰ４は、図３（Ｂ）に示すように、ドットパターンのサイズ（直径）がｓｄ（単位は例えば［ｐｉｘｅｌ］）の円形パターンであり、中心から外周に向かって変化する階調段数ｓｔｐ（ｓｔｐは３以上の整数）の複数段の領域に区分され、中心の領域から外周の領域に向かって順に明度が低くなる多値の明度分布を有する。図３（Ｂ）の例では、明度分布はガウス分布を模擬した形状である。なお、各領域の番号をｎとしてｎは中心から外側に向かって０からｓｔｐ−１までの番号が順に割り振られるものとする。１段目の領域（中心領域）の番号はｎ＝０で、その明度値（例えば８ビットの階調値）はＶ０で半径はｒ０（単位は例えば［ｐｉｘｅｌ］）で示される。同様に、２段目の領域の番号はｎ＝１で、その明度値はＶ１で半径はｒ１［ｐｉｘｅｌ］で示される。また３段目の領域の番号はｎ＝２で、その明度値はＶ２で半径はｒ２［ｐｉｘｅｌ］で示される。すなわち、ｎ段目の領域の番号はｎ＝０〜ｓｔｐ−１で、その明度値はＶｎで半径はｒｎ［ｐｉｘｅｌ］で示される。なお、ドットパターンのサイズｓｄは、画素数［ｐｉｘｅｌ］が奇数の場合には、中心を０として−ｒｎ〜＋ｒｎの範囲でｓｄ＝（２・ｒｎ）で表される。これに対して、画素数が偶数の場合には、ドットパターンのサイズｓｄは、−ｒｎ〜＋（ｒｎ−１）あるいは−（ｒｎ−１）〜＋ｒｎの範囲でｓｄ＝（２・ｒｎ）−１で表される。なお、検出画像ＴＰを構成する各ドットパターンＤＰ１〜ＤＰ４の生成方法については更に後述する。
【手続補正４】
【補正対象書類名】明細書
【補正対象項目名】００３８
【補正方法】変更
【補正の内容】
【００３８】
図４は、図２のステップＳ１０で生成された検出画像を用いて実行される検出画像調整処理の概要について示す説明図である。ステップＳ１０で生成された検出画像ＴＰは、後述するステップＳ２０において、例えば、図４（Ａ）に示すように、スクリーンＳＣ上に投写表示される。このとき、投写表示された検出画像ＴＰでは、右上および右下のドットパターンＤＰ２，ＤＰ４の明度が左上および左下のドットパターンＤＰ１，ＤＰ３の明度に比べて低い状態であったとする。このとき、後述するステップＳ３０による投写画像の撮像、および、ステップＳ６０ｂ，Ｓ１０による検出画像の修正が実行される。この結果、図４（Ｂ）に示すように、ステップＳ２０における修正後の検出画像の再投写によって投写表示された検出画像ＴＰａでは、検出画像部分ＤＰ１〜ＤＰ４の明度がほぼ等しくなるように調整される。
【手続補正５】
【補正対象書類名】明細書
【補正対象項目名】００４４
【補正方法】変更
【補正の内容】
【００４４】
以上説明したように、検出画像調整処理では、撮像画像中の各検出画像部分の明度がほぼ等しくなるように検出画像の調整が実行される。
【手続補正６】
【補正対象書類名】明細書
【補正対象項目名】００５９
【補正方法】変更
【補正の内容】
【００５９】
そこで、本例では、以下のように修正する。すなわち、図７（Ｂ）に示すように、最も暗く抽出された撮像検出画像部分を基準として、これに対応するドットパターンの明度値（明度の最大値）を設定し、それよりも明るく抽出された撮像検出画像部分に対応するドットパターンの明度値（明度の最大値）を、最も暗く抽出された撮像検出画像部分の明度値（明度の最大値）との関係に基づいて暗く設定して、各撮像検出画像部分の明度値（明度の最大値）がほぼ等しくなるようにすることが考えられる。具体的には、例えば、図６（Ｂ）の右上の最も暗く抽出された撮像検出画像部分ＳＤＰ２に対応するドットパターンＤＰ２を基準とし、その明度値Ｖｄｐ２を最も明るくなるように１００％に修正する。左下の最も明るく抽出された撮像検出画像部分ＳＤＰ３に対応するドットパターンＤＰ３の明度値Ｖｄｐ３を、対応する撮像検出画像部分ＳＤＰ３の明度値Ｖｓｄｐ３と、基準とした撮像検出画像部分ＳＤＰ２の明度値Ｖｓｄｐ２との違いに応じて、基準に対して暗くなるように、６０％に修正する。左上と右下の中間の暗さで抽出された撮像検出画像部分ＳＤＰ１，ＳＤＰ４に対応するドットパターンＤＰ１，ＤＰ４の明度値Ｖｄｐ１，Ｖｄｐ４を、撮像検出画像部分ＳＤＰ１，ＳＤＰ４の明度値Ｖｓｄｐ１，Ｖｓｄｐ４と、基準とした撮像検出画像部分ＳＤＰ２の明度値Ｖｓｄｐ２との違いに応じて、基準に対して少し暗くなるように、それぞれ、８０％に修正する。なお、修正値を求める具体的な手法例については、以下で説明する。
【手続補正７】
【補正対象書類名】明細書
【補正対象項目名】００８４
【補正方法】変更
【補正の内容】
【００８４】
図１４は、ドットパターンではない他の検出画像部分を含む検出画像の例を示す説明図である。図１４は、格子状のライン画像の例である。このライン画像は、ラインの中心側の明度が高く、ラインの外側の明度が低くなるように、それぞれ異なる明度を有する複数の領域に区分されている。この検出画像の場合には、例えば、円の枠で示された部分を検出画像部分とすればよい。修正は、ラインの幅、階調段数、各段の幅、中心領域の明度の設定値等を変更することにより実行することができる。このように、検出画像部分としてはドットパターンに限定されるものではなく、互いに明度が異なる複数の領域を含む複数の検出画像部分を有する検出画像であればよく、種々の検出画像を用いることができる。
【手続補正８】
【補正対象書類名】明細書
【補正対象項目名】００９１
【補正方法】変更
【補正の内容】
【００９１】
（７）変形例７
上記実施例の検出画像調整処理（図２）では、各検出画像部分の重心座標を求めて処理を終了するものとして説明しているが、例えば、ユーザーからの終了指示があるまで待機し、この待機している間に、動き検出部によりプロジェクターの動きが検出されて設置状態の変化が検出されたことや、プロジェクターの設定条件が変更されたこと、によって検出画像の再調整が必要と判断された場合に、検出画像の調整をやり直すようにしてもよい。なお、ユーザーからの終了指示ではなく、一定時間検出画像の再調整が必要とならなかった場合に処理が終了されるようにしてもよい。
【手続補正９】
【補正対象書類名】図面
【補正対象項目名】図１２
【補正方法】変更
【補正の内容】
【図１２】
2013195741.tif 000001